(57)【要約】【課題】  簡単にバンドの長さ調整の行えるアジャスト構造を提供することにある。【解決手段】  バンド駒１０は、連結体２０と溝部３０とを有する。連結体２０は、バンド駒１０の先端部１１から張り出し、略Ｌ字形に折曲している。そして、折曲部２１から垂下している垂下片２２の両端にコ字形に切り込まれた係合嵌部２５，２５を有する。また、バンド駒１０の後端部１２には、隣り合う同一のバンド駒１０の連結体２０を係止させる溝部３０を有する。この溝部３０は、バンド駒１０内へ組み込まれたスライド部材４０をスライドさせることによって係合突起３１，３１を出没させる。スライド部材４０のスライドは、バンド駒１０の外面に形成された長孔１５の操作部４６によって行われる。【選択図】  図１
2005348772.tif 000002
【特許請求の範囲】
【請求項１】
同一のバンド駒を組み合わせて構成されるバンドのアジャスト構造であって、
そのバンド駒は、バンド駒の先端部から張り出し、略Ｌ字形に折曲した連結体と、
バンド駒の後端部には、連結体を係止させる溝部とを有し、
その溝部は、バンド駒外面に操作部を備えてバンド駒内へスライド可能に組み込まれたスライド部材によって係合突起を出没させ、連結体に形成された係合嵌部と係合又は分離させることで、連結体を着脱自在としたことを特徴とするバンドのアジャスト構造。
【請求項２】
スライド部材とそれに内接するバンド駒の内接面は、それぞれ一方に凸部を他方に凹部を備え、スライド部材が溝部に係合突起を出現させて連結体の係合嵌部と係合する状態で、この凸部と凹部とが嵌合することを特徴とする請求項１記載のバンドのアジャスト構造。
【請求項３】
請求項１又は２記載のバンドのアジャスト構造を備えた時計バンド。
【発明の詳細な説明】
【技術分野】
【０００１】
本発明は、バンド駒で構成されるバンドのバンド駒を着脱自在とするアジャスト構造に関するものである。
【背景技術】
【０００２】
同一のバンド駒を組み合わせて構成されるバンドのアジャスト構造としては、これまで種々のものが存在している。
例えば、特許文献１では、凸部と凹部とを備えるバンド駒に連結貫通穴を設けて、その連結貫通穴にアジャストピンを挿入することを基本的構成とするアジャスト構造が開示されている。
【特許文献１】特開２０００−２９６００７号公報
【発明の開示】
【発明が解決しようとする課題】
【０００３】
しかし、特許文献１のように、バンド駒以外にアジャストピンを必要とするアジャスト構造であると、アジャスト作業が煩雑となる。とくに、近年インターネットショッピングなど店頭販売以外での商品購入が増加してきており、購入者自身でバンドの長さ調整をすることが多くなっている。
そこで、本発明は、購入者自身が簡単にバンドの長さ調整の行えるアジャスト構造を提供することを目的とする。
【課題を解決するための手段】
【０００４】
上記目的を達成するために、第一の発明は、同一のバンド駒を組み合わせて構成されるバンドのアジャスト構造であって、そのバンド駒は、バンド駒の先端部から張り出し、略Ｌ字形に折曲した連結体と、バンド駒の後端部には、連結体を係止させる溝部とを有し、その溝部は、バンド駒外面に操作部を備えてバンド駒内へスライド可能に組み込まれたスライド部材によって係合突起を出没させ、連結体に形成された係合嵌部と係合又は分離させることで、連結体を着脱自在としたことを特徴とするものである。
【０００５】
第二の発明は、スライド部材とそれに内接するバンド駒の内接面は、それぞれ一方に凸部を他方に凹部を備え、スライド部材が溝部に係合突起を出現させて連結体の係合嵌部と係合する状態で、この凸部と凹部とが嵌合することを特徴とするものである。
【発明の効果】
【０００６】
本発明によれば、次のような効果を有する。
（１）バンド駒外面の操作部を操作するだけで、簡単にバンド駒を取り付け・取り外しできるので、購入者でも無理なくバンドの長さ調整を行える。
（２）スライド部材とそれに内接するバンド駒の内接面にそれぞれ凸部と凹部を備えて、それが、係合突起と係合嵌部との係合する状態で嵌合するようになっているので、みだりに連結体と溝部の係合が解かれることなく、バンドの連結状態が確実に維持される。
【発明を実施するための最良の形態】
【０００７】
本発明の実施形態を図面に基づいて説明する。
図１は、本発明のバンドのアジャスト構造を示す説明図である。
バンド駒１０は、連結体２０と溝部３０とを有する。
連結体２０は、バンド駒１０の先端部１１から張り出し、略Ｌ字形に折曲している。そして、折曲部２１から垂下している垂下片２２の両端にコ字形に切り込まれた係合嵌部２５，２５を有する。
なお、符号１３は右端部、符号１４は左端部である。
【０００８】
また、バンド駒１０の後端部１２には、隣り合う同一のバンド駒１０の連結体２０を係止させる溝部３０を有する。
そして、この溝部３０は、バンド駒１０内へ組み込まれたスライド部材４０をスライドさせることによって係合突起３１，３１を出没させる。スライド部材４０のスライドは、バンド駒１０の外面に形成された長孔１５の操作部４６によって行われる。
【０００９】
すなわち、図１（Ａ）に示すように、操作部４６に表出するスライド部材４０の穿孔４７に、ポンチ等の先端の尖った部材（図示省略）を引っ掛ける。そして、この穿孔４７を後端部１２側へ操作することで、スライド部材４０が後端部１２側へスライドし、係合突起３１，３１を溝部３０に出現させる。また、図１（Ｂ）に示すように、操作部４６から穿孔４７を先端部１１側へ操作することで、スライド部材４０が先端部１１側へスライドし、係合突起３１，３１を溝部３０から没入させる。
【００１０】
図２は、バンド駒１０の分解図及び完成図である。
バンド駒１０は、図２−１に示すように上から順に、面芯材５０，スライド部材４０，中芯材６０，底芯材６５、本体カバー７０及び連結体２０よりなっている。
【００１１】
面芯材５０は、バンド駒１０の外面の一部を構成し、中心部分に長孔１５を備える。また、スライド部材４０と内接する内接面には、長孔１５を挟んでプレスで打ち込まれた凹部５１，５１を左右方向へ延設する。
【００１２】
スライド部材４０は、略矩形状をしており、中心部分に穿孔４７を備える。また、左右両端から後方へ張り出した張出部４４，４４が、溝部３０に出没する係合突起３１，３１となる。さらに、面芯材５０と内接する表面には、穿孔４７を挟んでプレスで打ち出した凸部４５，４５を左右方向へ延設する。
【００１３】
この凸部４５，４５と凹部５１，５１とは、ちょうど張出部４４，４４（係合突起３１，３１）が溝部３０に出現する状態で、互いに嵌合するように位置決めされる。
また、凹部５１，５１は、面芯材５０ではなくスライド部材４０と内接するもう一方の中芯材６０に形成してもよい。この場合、凸部４５，４５は、中芯材６０と内接するスライド部材４０の裏面に形成されることになる。
【００１４】
本体カバー７０には、先端部１１を形成する前方起立片７１、後端部１２を形成する後方起立片７２、右端部１３を形成する右方起立片７３、左端部１４を形成する左方起立片７４を備える。
連結体２０は、断面略コ字形をしており、本体カバー７０の前方起立片７１に取り付けられる。
【００１５】
図２−２に示すように、面芯材５０，スライド部材４０，中芯材６０，底芯材６５を重ねて本体カバー７０内に収納し、前方起立片７１に連結体２０を取り付けた状態で、上方へ長く起立している右方起立片７３，左方起立片７４を内側へ折曲することで、バンド駒１０が完成する。
【００１６】
図３は、バンド駒１０の連結方法を示す説明図である。
図３（Ａ）に示すように、バンド駒１０ａは、操作部４６で穿孔４７を先端部１１側へ操作して、溝部３０に係合突起３１，３１が出現していない没入された状態にし、そこにもう一つのバンド駒１０ｂの連結体２０を挿入する。
【００１７】
そして、図３（Ｂ）に示すように、操作部４６で穿孔４７を後端部１２側へ操作して、溝部３０に係合突起３１，３１を出現させると、係合突起３１，３１は連結体２０の係合嵌部２５，２５と係合する状態になる。
このとき、スライド部材４０の凸部４５，４５は、面芯材５０の凹部５１，５１と嵌合される。このため、スライド部材４０はロックされた状態となり、みだりに連結体２０と溝部３０の係合が解かれることなく、バンド駒１０ａとバンド駒１０ｂの連結状態が確実に維持される。
【００１８】
また、バンド駒１０ｂをバンド駒１０ａから取り外すのも、これと同様である。
すなわち、図３（Ｂ）に示す状態から、図３（Ａ）に示す状態のように、バンド駒１０ａの操作部４６で穿孔４７を先端部１１側へ操作して、溝部３０に係合突起３１，３１が出現していない没入された状態にし、そこからもう一つのバンド駒１０ｂの連結体２０を抜き出す。その結果、バンド駒１０ｂがバンド駒１０ａから取り外される。
【００１９】
なお、本実施形態では、バンド駒１０が連結体２０及び溝部３０をそれぞれ１つずつ有するものとしているが、連結体２０及び溝部３０をそれぞれ複数有するものであってもよい。
【産業上の利用可能性】
【００２０】
本発明は、時計バンドのアジャスト構造の他に、装飾品に使用されるバンドのアジャスト構造など、種々のバンドのアジャスト構造として広く利用できるものである。
【図面の簡単な説明】
【００２１】
【図１】本発明のバンドのアジャスト構造を示す説明図。
【図２−１】本発明に係るバンド駒の分解図。
【図２−２】本発明に係るバンド駒の完成図。
【図３】本発明に係るバンド駒の連結方法を示す説明図。
【符号の説明】
【００２２】
１０  バンド駒            １１  先端部            １２  後端部
１３  右端部              １４  左端部            １５  長孔
２０  連結体              ２１  折曲部            ２２  垂下片
２５  係合嵌部
３０  溝部                ３１  係合突起
４０  スライド部材        ４６  操作部            ４７  穿孔
【図１】
2005348772.tif 000003
【図２−１】
2005348772.tif 000004
【図２−２】
2005348772.tif 000005
【図３】
2005348772.tif 000006